(57)【要約】中空柱（８）の底部に刃（１）を底面に対して垂直に取り付け、さらに中空柱（８）の天部に透明な天板（２）を取り付けて中空柱（８）の上部を封鎖し、刃固定頭部（６）の形状を円柱状の曲面を持つ凸部とし、凹部となる中空柱（８）の側面部の刃受け頭部（４）の形状を刃固定頭部（６）の形状に合わせ、錠剤の分割時に衝撃が伝わる刃固定頭部（６）と刃受け頭部（４）との接地面積を大きくし、刃受け頭部（４）ならびに刃固定頭部（６）の水平方向の幅を刃受け体部（５）ならびに刃固定体部（７）の水平方向の幅よりも大きくし、中空柱（８）の外径と同じ内径をもつカバー（９）で中空柱（８）の刃受け頭部（４）ならびに刃固定頭部（６）と刃受け体部（５）ならびに刃固定体部（７）を覆った錠剤カッター。【特許請求の範囲】
【請求項１】
中空柱（８）の底部に刃（１）を底面に対して垂直に取り付け、さらに中空柱（８）の天部に透明な天板（２）を取り付けていることを特徴とする錠剤カッター。
【請求項２】
刃固定頭部（６）の形状を円柱状の曲面を持つ凸部とし、凹部となる中空柱（８）の側面部の刃受け頭部（４）の形状を刃固定頭部（６）の形状に合わせていることを特徴とする請求の範囲第１項記載の錠剤カッター。
【請求項３】
刃固定頭部（６）の大きさを刃固定体部（７）の厚さ幅よりも大きくして、刃固定頭部（６）と同形状の刃受け頭部（４）ならび刃固定体部（７）と同形状の刃受け体部（５）に嵌め込み、中空柱（８）の外径と同じ内径をもつカバー（９）で中空柱（８）の刃受け頭部（４）ならびに刃固定頭部（６）と刃受け体部（５）ならびに刃固定体部（７）が覆われていることを特徴とする請求の範囲第１項記載の錠剤カッター。
【発明の詳細な説明】
【技術分野】  この発明は、割線入りの錠剤を分割する錠剤カッターと刃の固定部品および刃の固定方法に関するものである。
【背景技術】  従来、割線入りの錠剤を半分に分割する場合には、ハサミ、ナイフ、カッターや錠剤カッターが用いられている。それらの操作方法は、ハサミ、ナイフ、カッターでは錠剤の割線に刃を合わせる操作により分割するが、従来の錠剤カッターでは刃に錠剤の割線を合わせる操作により分割する。また、日本特願２０００−９５８３６の錠剤カッターでは、錠剤の割線に刃を合わせて分割する。
日本特願２０００−９５８３６以外の錠剤カッターでは、錠剤を分割する際に錠剤の位置や向きが制限され、錠剤の割線を刃に合わせて分割する方法をとるため、割線を刃に合わせて錠剤を設置する操作が容易ではなく手間取ることが多いため効率が良くなく、ずれが生じ易いことが難点であった。
また、錠剤を持ちながら分割するハサミでは、切断面はきれいであるが手で錠剤を持ちながらの作業であるため効率が良くなく、分割後の錠剤を落としてしまうこともあった。
そして、日本特願２０００−９５８３６は、錠剤の割線に刃を合わせて分割するため効率的に作業でき、分割後の錠剤が飛び散ることも少ないが、中空柱の天井部が開放されかつ高さが低い場合には分割後の錠剤が飛び出してしまうことがあること、中空柱の材料がアクリルその他硬く耐薬剤性のある合成樹脂材料である場合には、刃の背が直接アクリルに接する固定がなされている状態では割線入りの錠剤を２０個ほど分割するまでに刃の背が分割時の衝撃によりアクリルその他の硬く耐薬剤性のある合成樹脂材料にひびを入れてしまうことがあり、刃の固定方法については十分説明されていなかった。
従って、本発明は、分割後の錠剤の飛び出しを完全に無くすこと、刃の固定構造を中空柱の材料にアクリルその他の硬く耐薬剤性のある合成樹脂材料を用いても刃の背の周辺にひびが入りにくい構造とすること、そして、刃が水平方向および垂直方向に容易にずれない構造とすることにより、日本特願２０００−９５８３６を改良した錠剤カッターを提供することを目的としている。
【発明の開示】
中空柱（８）の底部に刃（１）を底面に対して垂直に取り付け、さらに中空柱（８）の天部に透明な天板（２）を取り付けて中空柱（８）の上部を封鎖した。このことによって、中空柱（８）の上方から中空柱（８）内部の視界は良好であり、中空柱の高さに関係なく分割後の錠剤の飛び出しが完全に無くなる錠剤カッターになる。
また、刃固定頭部（６）の形状を円柱状の曲面を持つ凸部とし、凹部となる中空柱（８）の側面部の刃受け頭部（４）の形状を刃固定頭部（６）の形状に合わせ、錠剤の分割時に衝撃が伝わる刃固定頭部（６）と刃受け頭部（４）との接地面積を広くした。このことにより、錠剤の分割時の衝撃が刃背部（３ｂ）から直接に刃受け頂点（３ａ）に集中して伝わらずに分散され、中空柱の材料にアクリルその他の硬く耐薬剤性のある合成樹脂材料を用いても刃の背の周辺にひびが入りにくい錠剤カッターになる。
そして、刃固定頭部（６）の大きさを刃固定体部（７）の厚さ幅よりも大きくして、刃固定頭部（６）と同形状の刃受け頭部（４）ならび刃固定体部（７）と同形状の刃受け体部（５）に嵌め込む。このことによって、刃（１）の垂直方向の動きが制限され、刃（１）が垂直方向に容易にずれることの無い錠剤カッターになる。さらに、中空柱（８）の外径と同じ内径をもつカバー（９）で中空柱（８）の刃受け頭部（４）ならびに刃固定頭部（６）と刃受け体部（５）ならびに刃固定体部（７）を覆った。このことによって、刃（１）の水平方向の動きが制限され、刃（１）が水平方向に容易にずれることの無い錠剤カッターになる。
【図面の簡単な説明】  図３は、この発明にかかる好ましい錠剤カッターの刃の中央における垂直方向の断面図であり、図１は、その平面図であり、図２は、その正面図であり、図４は、その刃とカバーを除いた正面図であり、図５は、その刃の正面図であり、図６は、その刃の側面図であり、図７は、その刃の固定部品の正面図である。
【発明を実施するための最良の形態】  本発明をより詳細に説述するために、添付の図面に従ってこれを説明する。
図３は、この発明にかかる好ましい錠剤カッターの垂直方向の断面を示しているが、理解し易くするために断面奥の刃の固定部分（４、５、および６）が示されている。この錠剤カッターを形成する透明な天板（２）の材料としては、アクリルその他の透明度の高い合成樹脂、硝子その他の透明度の高い材料、あるいはそれらの材料を用いた拡大レンズが用いられ得る。また、中空柱（８）およびカバー（９）の材料としては、アクリルその他の合成樹脂、アルミニウムその他の金属が用いられ得る。そして、刃（１）および図７に示す刃の固定部品の材料としては、ステンレスその他の耐錆び性を有する金属、硬化プラスチックその他の硬度の高い合成樹脂、硬度の高いセラミックその他の硬い材料が用いられ得る。
この錠剤カッターは、中空柱（８）の底部に刃（１）を底面に対して垂直に取り付け、さらに中空柱（８）の天部に透明な天板（２）を取り付けて中空柱（８）の上部を封鎖し、刃固定頭部（６）の形状を円柱状の曲面を持つ凸部とし、凹部となる中空柱（８）の側面部の刃受け頭部（４）の形状を刃固定頭部（６）の形状に合わせ、錠剤の分割時に衝撃が伝わる刃固定頭部（６）と刃受け頭部（４）との接地面積を広くし、刃固定頭部（６）の大きさを刃固定体部（７）の厚さ幅よりも大きくして、刃固定頭部（６）と同形状の刃受け頭部（４）ならび刃固定体部（７）と同形状の刃受け体部（５）に嵌め込み、中空柱（８）の外径と同じ内径をもつカバー（９）で中空柱（８）の刃受け頭部（４）ならびに刃固定頭部（６）と刃受け体部（５）ならびに刃固定体部（７）を覆った形態である。
図５および図６は、刃とそれを固定する部品の正面および側面を示すが、刃（１）の両端に刃固定頭部（６）と刃固定体部（７）とを一体化した図７に示す固定部品が取り付けられている。これを図４の刃受け頭部（４）及び刃受け体部（５）に装着し、カバー（９）で覆った本発明にかかる好ましい錠剤カッターの正面図が図２に示され、上方から見た形態が図１に示されている。
本発明にかかる好ましい錠剤カッターにより、錠剤を分割する方法は、まず、割線入りの錠剤を平坦な場所に置き、中空柱（８）の上方から中空柱（８）内部を覗きながら錠剤の割線に刃（１）を合わせる。次に、刃（１）を垂直に押し下げると錠剤は半分に分割される。また、錠剤分割台（日本特願２００４−３００７３４）を用いることにより、より一層きれいに錠剤を分割でき、錠剤を分割前と分割後に仕分けることができるので、本発明にかかる好ましい錠剤カッターと錠剤分割台（日本特願２００４−３００７３４）との併用により、錠剤の分割を順次スムーズに効率よく行うことができる。
【産業上の利用可能性】  以上のように、本発明にかかる錠剤カッターは、調剤業務、家庭、介護施設において、錠剤を分割する時に利用価値の高まる錠剤カッターである。また、錠剤分割台（日本特願２００４−３００７３４）と共に用いられることにより、利用価値がより一層高められ得る。
【図１】
2006048967.tif 000002
【図２】
2006048967.tif 000003
【図３】
2006048967.tif 000004
【図４】
2006048967.tif 000005
【図５】
2006048967.tif 000006
【図６】
2006048967.tif 000007
【図７】
2006048967.tif 000008
【手続補正書】
【提出日】平成19年8月17日(2007.8.17)
【手続補正１】
【補正対象書類名】特許請求の範囲
【補正対象項目名】全文
【補正方法】変更
【補正の内容】
【特許請求の範囲】
【請求項１】
中空柱(8)と、該中空柱(8)の底部側壁に両端が固定されて前記中空柱(8)内に径方向に配置された刃(1)とを備えた錠剤カッターにおいて、
前記中空柱(8)の天部に前記刃(1)を目視可能な透明な天板(2)が設けられ、
前記刃(1)の両端は、固定部品により保持され、前記中空柱(8)の前記底部側壁は前記固定部品がはめ込まれる、該固定部品の形状に合わせた凹部を有してなることを特徴とする錠剤カッター。
【請求項２】
前記各固定部品が、前記刃(1)を保持する刃固定体部(7)と、該刃固定体部(7)の厚さ幅より大きい刃固定頭部(6)からなり、前記中空柱(8)の外周には、前記中空柱(8)にはめ込まれた前記固定部品が前記凹部から横方向に抜け出るのを阻止するカバー(9)が設けられていることを特徴とする請求項１記載の錠剤カッター。
【手続補正２】
【補正対象書類名】明細書
【補正対象項目名】全文
【補正方法】変更
【補正の内容】
【発明の詳細な説明】
【技術分野】
【０００１】
この発明は、割線入りの錠剤を分割する錠剤カッターに関するものである。
【背景技術】
【０００２】
従来、割線入りの錠剤を半分に分割する場合には、ハサミ、ナイフ、カッターや錠剤カッターが用いられている。それらの操作方法は、ハサミ、ナイフ、カッターでは錠剤の割線に刃を合わせて操作することにより分割するが、従来の錠剤カッターでは刃に錠剤の割線を合わせて操作することにより分割する。また、中空柱の底部に刃を垂直に取り付け、錠剤の割線に刃を合わせて分割するようにした錠剤分割器が知られている。（特許文献１）。
【特許文献１】特開２００１−２３８９３３号
【発明の開示】
【発明が解決しようとする課題】
【０００３】
特許文献１以外の錠剤カッターでは、錠剤を分割する際に錠剤の位置や向きが制限され、錠剤の割線を刃に合わせて分割する方法をとっている。しかし、割線を刃に合わせて錠剤を設置する操作が容易ではなく手間取ることが多いため効率が良くなく、ずれが生じ易いことが難点であった。
【０００４】
また、錠剤を持ちながら分割するハサミでは、切断面はきれいであるが手で錠剤を持ちながらの作業であるため効率が良くなく、分割後の錠剤を落としてしまうこともあった。
【０００５】
この点、特許文献１に開示された発明においては、錠剤の割線に刃を合わせて分割するため効率的に作業でき、分割後の錠剤が飛び散ることも少ない。しかし、中空柱の天井部が開放されかつ高さが低い揚合には分割後の錠剤が飛び出してしまうことがある。また、中空柱の材料がアクリルその他硬く耐薬剤性のある合成樹脂材料である場合には、刃の背が直接アクリルに接するように固定されている状態では、割線入りの錠剤を20個ほど分割するまでに、分割時の衝撃により刃の背が前述の合成樹脂材料にひびを入れてしまうことがあった。
【０００６】
従って、本発明は、分割後の錠剤の飛び出しを完全に無くし、刃の固定構造を中空柱の材料にアクリルその他の硬く耐薬剤性のある合成樹脂材料を用いても刃の背に当たる部分の周辺にひびが入りにくく、そして、刃が水平方向および垂直方向に容易にずれることのない、特許文献１に開示された発明を改良した錠剤カッターを提供することを目的とするものである。
【課題を解決するための手段】
【０００７】
本発明の錠剤カッターは、中空柱と、中空柱の底部側壁に両端が固定されて中空柱内に径方向に配置された刃とを備えた錠剤カッターにおいて、中空柱の天部に刃を目視可能な透明な天板が設けられ、刃の両端は、固定部品により保持され、中空柱の底部側壁は固定部品がはめ込まれる、固定部品の形状に合わせた凹部を有してなることを特徴とするものである。
【０００８】
また、各固定部品は、刃を保持する刃固定体部と、刃固定体部の厚さ幅より大きい刃固定頭部からなり、中空柱の外周には、中空柱にはめ込まれた固定部品が凹部から横方向に抜け出るのを阻止するカバーが設けられていてもよい。
【０００９】
また、刃固定頭部は円柱状の曲面を有するよう構成することができる。
【発明の効果】
【００１０】
本発明の錠剤カッターは、中空柱の天部に刃を目視可能な透明な天板が設けられ、刃の両端は固定部品により保持され、中空柱の底部側壁は固定部品がはめ込まれる、固定部品の形状に合わせた凹部を有しているので、中空柱の上方から中空柱内部が良好に視認でき、また中空柱の高さに関係なく分割後の錠剤の飛び出しを完全になくすことができるという作用効果を奏するものである。
【００１１】
また、各固定部品が、刃を保持する刃固定体部と刃固定体部の厚さ幅より大きい刃固定頭部からなり、中空柱の外周に中空柱にはめ込まれた固定部品が凹部から横方向に抜け出るのを阻止するカバーが設けられている場合には、錠剤の分割時に衝撃が伝わる刃固定頭部を刃固定体部の厚さ幅より大きいので、錠剤の分割時の衝撃が刃背部から直接に凹部に集中して伝わらずに分散され、中空柱の材料にアクリルその他の硬く耐薬剤性のある合成樹脂材料を用いても刃の背の周辺にひびが入りにくい錠剤カッターとすることができる。
【００１２】
また、刃固定頭部の大きさを刃固定体部の厚さ幅よりも大きくして、固定部品を凹部に嵌め込むようにした場合には、刃の垂直方向の動きが制限され、刃が垂直方向に容易にずれることの無い錠剤カッターとすることができる。
【００１３】
さらに、中空柱の凹部にはめ込まれた固定部品が横方向に抜け出るのを阻止するようにカバーを設けた場合には、刃の水平方向の動きが制限され、刃が水平方向に容易にずれることの無い錠剤カッターを実現することができる。
【発明を実施するための最良の形態】
【００１４】
本発明の実施形態を、添付の図面により以下詳細に説明する。図1は本実施形態による錠剤カッターの平面図、図2はその正面図、図3はその垂直断面を示す。この錠剤カッターは、円筒状の中空柱(8)と、この中空柱(8)の底部側壁に両端が固定されて中空柱(8)内に径方向に配置された刃(1)とからなるもので、中空柱(8)の天部に刃(1)を目視可能な透明な天板(2)が設けられている。刃(1)の両端は固定部品（6, 7）により保持され、中空柱(8)の底部側壁には、この固定部品（6, 7）がはめ込まれる固定部品（6, 7）の形状に合わせた凹部（4, 5）が形成されている（図4参照）。また、中空筒(8)の下部には、中空筒(8)の外周に密接した円環状のカバー(9)が着脱自在に設けられている。
【００１５】
前記透明な天板(2)の材料としては、アクリルその他の透明度の高い合成樹脂、硝子その他の透明度の高い材料、あるいはそれらの材料を用いた拡大レンズが用いられ得る。また、中空柱(8)およびカバー(9)の材料としては、アクリルその他の合成樹脂、アルミニウムその他の金属が用いられ得る。そして、刃(1)および刃の固定部品の材料としては、ステンレス、その他の耐錆び性を有する金属、硬化プラスチック、その他の硬度の高い合成樹脂、硬度の高いセラミック、その他の硬い材料が用いられ得る。
【００１６】
この錠剤カッターは、中空柱(8)の底部に刃(1)を底面に対して垂直に取り付け、さらに中空柱(8)の天部に透明な天板(2)を取り付けて中空柱(8)の上部を封鎖し、刃固定頭部(6)の形状を円柱状の曲面を持つ凸部とし、凹部となる中空柱(8)の側面部の刃受け頭部(4)の形状を刃固定頭部(6)の形状に合わせたものであり、錠剤の分割時に衝撃が伝わる刃固定頭部(6)と刃受け頭部(4)との接触面積を広くし、刃固定頭部(6)の大きさを刃固定体部(7)の厚さ幅よりも大きくして、刃固定頭部（6）をこの刃固定頭部(6)と同形状の刃受け頭部(4)にはめ込むとともに、刃固定体部(7)をこの刃固定体部(7)と同形状の刃受け体部(5)に嵌め込み、さらに、中空柱(8)の外径と同じ内径をもつカバー(9)で中空柱(8)の刃受け頭蔀（4）ならびに刃固定頭部(6)と刃受け体部(5)ならびに刃固定体部(7)を覆った形態をしている。
【００１７】
図5および図6は、刃（1）とそれを固定する部品の正面および側面を示す。刃(1)の両端には、刃固定頭部(6)と刃固定体部(7)とを一体化した固定部品が取り付けられている。これを図4の刃受け頭部(4)及び刃受け体部(5)に装着し、カバー(9)で覆った、本発明の錠剤カッターの正面図が図2に示されており、上方から見た形態が図1に示されている。
【００１８】
本発明の錠剤カッターにより、錠剤を分割する方法は、まず、割線入りの錠剤を平坦な場所に置き、中空柱（8)の上方から中空柱(8)内部を覗きながら錠剤の割線に刃(1)を合わせる。次に、中空柱（8)とともに刃（1)を垂直に押し下げると錠剤は半分に分割される。また、錠剤分割台(特願2004-300734)を用いることにより、より一層きれいに錠剤を分割でき、錠剤を分割前と分割後に仕分けることができるので、本発明にかかる好ましい錠剤カッターと錠剤分割台(特願2004-300734)との併用により、錠剤の分割を順次スムーズに効率よく行うことができる。
【産業上の利用可能性】
【００１９】
以上のように、本発明にかかる錠剤カッターは、調剤業務、家庭、介護施設において、錠剤を分割する時に利用することができる。また、錠剤分割台(特願2004-300734)とともに用いることにより、利用価値がより一層高められ得る。
【図面の簡単な説明】
【００２０】
【図１】本発明にかかる好ましい錠剤カッターの平面図
【図２】図１の錠剤カッターの正面図
【図３】図１の錠剤カッターの刃の中央における垂直方向の断面図
【図４】図１の錠剤カッターの刃とカバーを除いた正面図
【図５】図１の錠剤カッターの刃の正面図
【図６】図１の錠剤カッターの刃の側面図
【符号の説明】
【００２１】
１    刃
２    天板
４    刃受け頭部
５    刃受け体部
６    刃固定頭部
７    刃固定体部
８    中空柱
９    カバー
【手続補正３】
【補正対象書類名】図面
【補正対象項目名】全図
【補正方法】変更
【補正の内容】
【図１】
2006048967.tif 000009
【図２】
2006048967.tif 000010
【図３】
2006048967.tif 000011
【図４】
2006048967.tif 000012
【図５】
2006048967.tif 000013
【図６】
2006048967.tif 000014
【国際調査報告】
2006048967.tif 000015
2006048967.tif 000016